(57)【要約】      （修正有）【課題】ソケットを素早く摺動させたり回転させたりすることにより、所望の位置及び角度に位置決めることができるソケットホルダを提供する。【解決手段】複数の第一係止部１１２が形成されるプレート１１と、該プレートの上面に長手方向に沿って全体に亘って形成される上開口と、該上開口と連通するように上面とプレートとの間に形成される摺動溝１２２とを備えた摺動レール１２を有する、レール部材１０と、前記レール部材にそれぞれ摺動可能且つ回転可能に設置され、その底面に凸設され、摺動レールの摺動溝に摺動可能且つ回転可能に嵌め込まれる結合凸縁と、該結合凸縁の底面に設けられ、前記第一係止部に係合される複数の第二係止部と、前記結合凸縁の底面に径方向に凹設される摺動溝部とを備えた摺動台３１及び、前記摺動台の上面に凸設され、外部に突出するように設けられた保持部３２を備えた、少なくとも１つの固定部材３０とを有する。【選択図】図１
2018008330.tif 000002
【特許請求の範囲】
【請求項１】
ソケットを固定するものであり、長手方向に素早く摺動かつ回転可能な位置決めソケットホルダであって、
細長状の座体であり、上面に間隔をおいて直線状に配列した複数の第一係止部が形成されるプレートと、該プレートの上面に長手方向に沿って全体に亘って形成される上開口と、該上開口と連通するように上面とプレートとの間に形成される摺動溝とを備えた摺動レールを有する、レール部材と、
前記レール部材にそれぞれ摺動可能且つ回転可能に設置され、その底面に凸設され、摺動レールの摺動溝に摺動可能且つ回転可能に嵌め込まれる結合凸縁と、該結合凸縁の底面に等間隔で環状に配列するように設けられ、前記第一係止部に係合される複数の第二係止部と、前記結合凸縁の底面に径方向に凹設される摺動溝部とを備えた摺動台及び、前記摺動台の上面に凸設され、前記摺動レールの上開口から外部に突出するように設けられた保持部を備えた、少なくとも１つの固定部材とを有することを特徴とする摺動回転式位置決めソケットホルダ。
【請求項２】
前記プレートの底面に掛止レールが設けられ、該掛止レールの底面に、長手方向の全体に亘って下開口が形成されることを特徴とする請求項１に記載の摺動回転式位置決めソケットホルダ。
【請求項３】
前記プレートと、前記摺動レールと、前記掛止レールとが一体に成形されることを特徴とする請求項２に記載の摺動回転式位置決めソケットホルダ。
【請求項４】
前記第一係止部が前記プレートの上面中央部分に凸設されることを特徴とする請求項１乃至３の何れか１項に記載の摺動回転式位置決めソケットホルダ。
【請求項５】
前記第二係止部が凹部であることを特徴とする請求項４に記載の摺動回転式位置決めソケットホルダ。
【発明の詳細な説明】
【技術分野】
【０００１】
本発明は、特にソケットを素早く摺動させたり回転させることにより、所望の位置及び角度に位置決めることができるソケットホルダに関するものである。
【背景技術】
【０００２】
従来のソケットホルダは、レール部材、及びそれぞれ摺動可能に該レール部材に設置された複数の固定部材を備え、該各固定部材を用いてソケットを収納してレール部材に固定するものである。故に、使用者がソケットを回転させることによって、ソケットの表面にあるサイズマークまたは符号を使用者が視認できる位置まで調整することができる。
【先行技術文献】
【特許文献】
【０００３】
【特許文献１】台湾特許公告第Ｉ４６００６０号公報
【特許文献２】米国特許第９１２６３２９号明細書
【発明の概要】
【発明が解決しようとする課題】
【０００４】
しかしながら、従来のソケットホルダは、レール部材と固定部材との間に、ソケットを素早く且つスムーズに摺動、回転させるための固定装置が取り付けられておらず、外部から衝撃を受けると、ソケットがずれたり回転したりして所定の位置に維持させることができなくなり、使用者がソケットのサイズマークまたは符号を視認し難くなることから、使用上の利便性に劣るので、改良する必要があった。
【課題を解決するための手段】
【０００５】
本発明に係る摺動回転式位置決めソケットホルダは、ソケットを固定するものであり、長手方向に素早く摺動かつ回転可能な位置決めソケットホルダであって、
細長状の座体であり、上面に間隔をおいて直線状に配列した複数の第一係止部が形成されるプレートと、該プレートの上面に長手方向に沿って全体に亘って形成される上開口と、該上開口と連通するように上面とプレートとの間に形成される摺動溝とを備えた摺動レールを有する、レール部材と、
前記レール部材にそれぞれ摺動可能且つ回転可能に設置され、その底面に凸設され、摺動レールの摺動溝に摺動可能且つ回転可能に嵌め込まれる結合凸縁と、該結合凸縁の底面に等間隔で環状に配列するように設けられ、前記第一係止部に係合される複数の第二係止部と、前記結合凸縁の底面に径方向に凹設される摺動溝部とを備えた摺動台及び、前記摺動台の上面に凸設され、前記摺動レールの上開口から外部に突出するように設けられた保持部を備えた、少なくとも１つの固定部材とを有する。
【０００６】
かかる摺動回転式位置決めソケットホルダにおいて、前記プレートの底面に掛止レールが設けられ、該掛止レールの底面に、長手方向の全体に亘って下開口が形成されることが好ましい。
【０００７】
かかる摺動回転式位置決めソケットホルダにおいて、前記プレートと、前記摺動レールと、前記掛止レールとが一体に成形されることが好ましい。
【０００８】
かかる摺動回転式位置決めソケットホルダにおいて、前記第一係止部が前記プレートの上面中央部分に凸設されることが好ましい。
【０００９】
かかる摺動回転式位置決めソケットホルダにおいて、前記第二係止部が凹部であることが好ましい。
【発明の効果】
【００１０】
本発明に係る、摺動回転式位置決めソケットホルダは、固定部材の第二係止部をレール部材の第一係止部に係合することによって、固定部材をレール部材に対して長手方向に摺動させたり回転させたりして位置及び角度を調整し、所望の位置及び角度に位置決めするものであり、また、固定部材の底面に摺動溝部が形成されることから、該摺動溝部をプレートの第一係止部と一直線となるように調整すれば、ソケットまたは固定部材をレール部材に対して素早く摺動することができる。
【図面の簡単な説明】
【００１１】
【図１】本発明の斜視図である。
【図２】本発明の部分拡大分解斜視図である。
【図３】図２に示した固定部材３０の拡大斜視図である。
【図４】本発明の部分側面断面図である。
【図５】本発明の部分上面断面図である。
【図６】本発明の使用状態を示す部分拡大説明図である。
【発明を実施するための形態】
【００１２】
図１乃至図４に示すように、本発明に係る摺動回転式位置決めソケットホルダは、レール部材１０及び少なくとも１つの固定部材３０を有し、該レール部材１０は、プレート１１と、摺動レール１２と、掛止レール１４を備え、金属からなる細長状の座体であり、アルミ押し出し材からなることが好ましく、そのうち、プレート１１は、細長状を呈し、その上面に間隔をおいて直線状に複数の第一係止部１１２が配列され、該第一係止部１１２は、プレート１１の上面中央部分に凸設され、隣り合う２つの第一係止部１１２の間に結合隙間１１４が形成される。
【００１３】
前記摺動レール１２は、プレート１１の上面に設けられると共に、上開口１２１及び摺動溝１２２を備え、そのうち、上開口１２１は、摺動レール１２の上面に長手方向の全体に亘って形成され、該摺動溝１２２は、上開口１２１と連通するように摺動レール１２の上面とプレート１１との間に形成され、また、該プレート１１の底面に前記掛止レール１４設けられ、その底面に長手方向の全体に亘って下開口１４１が形成される。尚、前記プレート１１、摺動レール１２、及び掛止レール１４は一体に成形されることが好ましい。
【００１４】
前記少なくとも１つの固定部材３０は、摺動可能且つ回転可能にレール部材１０に設置され、各固定部材３０は、摺動台３１及び保持部３２を備え、そのうち、摺動台３１は、円形を呈する弾性を備えた座体であり、摺動可能且つ回転可能に摺動レール１２の摺動溝１２２に嵌め込まれ、且つプレート１１の複数の第一係止部１１２のうちの２つに係合され、該摺動台３１の上面は、摺動レール１２の上開口１２１に向かうように設けられ、更に、該摺動台３１の底面に結合凸縁３１１が凸設され、該結合凸縁３１１の底面に複数の第二係止部３１２が等間隔で環状に連続するように配列され、該各第二係止部３１２は、複数の第一係止部１１２のうちの２つに係合することができる。すなわち、前記複数の第二係止部３１２のうちの径方向の両側の２つがそれぞれ複数の第一係止部１１２のうちの対応する２つに係合される。
尚、前記第二係止部３１２は、凹部であることが好ましく、前記結合凸縁３１１の底面に径方向に摺動溝部３１４が凹設される。
【００１５】
前記保持部３２は、中空状で方形柱の挿設座であり、摺動台３１の上面に、摺動レール１２の上開口１２１から外部に突出するように設けられ、その一側に当接凸部３２１が突出するように設けられる。
【００１６】
図２、図４、図５に示すように、固定部材３０をレール部材１０に装着する時は、摺動溝部３１４を介してプレート１１の第一係止部１１２と一直線となるように結合凸縁３１１をレール部材１０の一端から摺動溝１２２に挿し込んでレール部材１０に嵌め込み、続いて、前記固定部材３０を、一直線に配置した複数の第一係止部１１２に沿って所望の位置まで摺動させ、前記固定部材３０をレール部材１０に対して回して、結合凸縁３１１の径方向の両側にある２つの第二係止部３１２を複数の第一係止部１１２のうちの対応する２つに係合する。この構成によれば、前記固定部材３０をレール部材１０に対して所望の位置に位置決めることができる。
【００１７】
図６に示すように、複数のソケット６０が着脱可能に複数の固定部材３０の保持部３２に環装され、そのうち、該各固定部材３０の保持部３２の当接凸部３２１を、対応するソケット６０の内壁に当接することによって、固定部材３０の保持部３２がソケット６０を保持して位置決めることができる。
【００１８】
また、前記複数のソケット６０の表面にあるサイズマークまたは符号が使用者側に来るように配列されていない場合には、使用者が複数のソケット６０をそれぞれレール部材１０に対して時計回りまたは反時計回りに回せば、使用者側に来るように調整することができる。上述した調整過程において、ソケット６０が固定部材３０の保持部３２に環装されることから、固定部材３０もプレート１１に対して時計回りまたは反時計回りに回し、ソケット６０の表面にあるサイズマークまたは符号が使用者側に来るように調整することができる。その後、固定部材３０の第二係止部３１２がレール部材１０の第一係止部１１２に係合されることによって、摺動台３１がプレート１１に位置決めて固定することができ、すなわち、第二係止部３１２と第一係止部１１２との係合によって、固定部材３０をレール部材１０に位置決めることができ、また、ソケット６０の符号またはサイズマークを使用者側に面するように調整すれば、使用者が一目でソケット６０のサイズを確認することができるので、使用上非常に便利である。
【００１９】
一方、ソケット６０または固定部材３０の位置を調整する場合には、ソケット６０または固定部材３０を回転させて、摺動台３１の摺動溝部３１４がプレート１１の第一係止部１１２と一直線になるように調整すれば、ソケット６０または固定部材３０をレール部材１０に対して素早く摺動させることができるので、使用者の需要に応じて所望の位置にスムーズに且つ簡単に調整することができる。
【符号の説明】
【００２０】
１０      レール部材
１１      プレート
１１２    第一係止部
１１４    結合隙間
１２      摺動レール
１２１    上開口
１２２    摺動溝
１４      掛止レール
１４１    下開口
３０      固定部材
３１      摺動台
３１１    結合凸縁
３１２    第二係止部
３１４    摺動溝部
３２      保持部
３２１    当接凸部
６０      ソケット
【図１】
2018008330.tif 000003
【図２】
2018008330.tif 000004
【図３】
2018008330.tif 000005
【図４】
2018008330.tif 000006
【図５】
2018008330.tif 000007
【図６】
2018008330.tif 000008
【手続補正書】
【提出日】平成29年5月10日(2017.5.10)
【手続補正１】
【補正対象書類名】特許請求の範囲
【補正対象項目名】全文
【補正方法】変更
【補正の内容】
【特許請求の範囲】
【請求項１】
ソケットを固定するものであり、長手方向に素早く摺動かつ回転可能な位置決めソケットホルダであって、
細長状の座体であり、上面に間隔をおいて直線状に配列した複数の第一係止部が形成されるプレートと、該プレートの上面に長手方向に沿って全体に亘って形成される上開口と、該上開口と連通するように上面とプレートとの間に形成される摺動溝とを備えた摺動レールを有する、レール部材と、
前記レール部材にそれぞれ摺動可能且つ回転可能に設置され、その底面に凸設され、摺動レールの摺動溝に摺動可能且つ回転可能に嵌め込まれる結合凸縁と、該結合凸縁の底面に等間隔で環状に配列するように設けられ、前記第一係止部に係合される複数の第二係止部と、前記結合凸縁の底面に径方向に凹設される摺動溝部とを備えた摺動台及び、前記摺動台の上面に凸設され、前記摺動レールの上開口から外部に突出するように設けられた保持部を備えた、少なくとも１つの固定部材とを有することを特徴とする摺動回転式位置決めソケットホルダ。
【請求項２】
前記プレートの底面に掛止レールが設けられ、該掛止レールの底面に、長手方向の全体に亘って下開口が形成されることを特徴とする請求項１に記載の摺動回転式位置決めソケットホルダ。
【請求項３】
前記プレートと、前記摺動レールと、前記掛止レールとが一体に成形されることを特徴とする請求項２に記載の摺動回転式位置決めソケットホルダ。
【請求項４】
前記第一係止部が前記プレートの上面中央部分に凸設されることを特徴とする請求項１乃至３の何れか１項に記載の摺動回転式位置決めソケットホルダ。
【請求項５】
前記第二係止部が凹部であることを特徴とする請求項４に記載の摺動回転式位置決めソケットホルダ。
【請求項６】
前記第二係止部が凹部であることを特徴とする請求項１乃至３の何れか１項に記載の摺動回転式位置決めソケットホルダ。
【請求項７】
ソケットを固定するものであり、長手方向に素早く摺動かつ回転可能な位置決めソケットホルダであって、
細長状の座体であり、上面に少なくとも１つの第一係止部が形成されるプレートと、該プレートの上面に長手方向に沿って全体に亘って形成される上開口と、該上開口と連通するように上面とプレートとの間に形成される摺動溝とを備えた摺動レールを有する、レール部材と、
前記レール部材にそれぞれ摺動可能且つ回転可能に設置され、その底面に凸設され、摺動レールの摺動溝に摺動可能且つ回転可能に嵌め込まれる結合凸縁と、該結合凸縁の底面に等間隔で環状に配列するように設けられ、前記少なくとも１つの第一係止部に係合される複数の第二係止部と、前記結合凸縁の底面に径方向に凹設される摺動溝部とを備えた摺動台及び、前記摺動台の上面に凸設され、前記摺動レールの上開口から外部に突出するように設けられた保持部を備えた、少なくとも１つの固定部材とを有することを特徴とする摺動回転式位置決めソケットホルダ。
【請求項８】
前記プレートの底面に掛止レールが設けられ、該掛止レールの底面に、長手方向の全体に亘って下開口が形成されることを特徴とする請求項７に記載の摺動回転式位置決めソケットホルダ。
【請求項９】
前記プレートと、前記摺動レールと、前記掛止レールとが一体に成形されることを特徴とする請求項８に記載の摺動回転式位置決めソケットホルダ。
【手続補正書】
【提出日】平成29年11月21日(2017.11.21)
【手続補正１】
【補正対象書類名】特許請求の範囲
【補正対象項目名】全文
【補正方法】変更
【補正の内容】
【特許請求の範囲】
【請求項１】
ソケットを固定するものであり、長手方向に素早く摺動かつ回転可能な位置決めソケットホルダであって、
細長状の座体であり、上面に間隔をおいて直線状に配列した複数の第一係止部が形成されるプレートと、該プレートの上面に長手方向に沿って全体に亘って形成される上開口と、該上開口と連通するように上面とプレートとの間に形成される摺動溝とを備えた摺動レールを有する、レール部材と、
前記レール部材にそれぞれ摺動可能且つ回転可能に設置され、その底面に凸設され、摺動レールの摺動溝に摺動可能且つ回転可能に嵌め込まれる結合凸縁と、該結合凸縁の底面且つ外周壁の内側に等間隔で環状に配列するように設けられ、前記第一係止部に係合される複数の第二係止部と、前記結合凸縁の底面の両側に径方向に亘って凹設される２つの摺動溝部とを備えた摺動台及び、前記摺動台の上面に凸設され、前記摺動レールの上開口から外部に突出するように設けられた保持部を備えた、少なくとも１つの固定部材とを有することを特徴とする摺動回転式位置決めソケットホルダ。
【請求項２】
前記プレートの底面に掛止レールが設けられ、該掛止レールの底面に、長手方向の全体に亘って下開口が形成されることを特徴とする請求項１に記載の摺動回転式位置決めソケットホルダ。
【請求項３】
前記プレートと、前記摺動レールと、前記掛止レールとが一体に成形されることを特徴とする請求項２に記載の摺動回転式位置決めソケットホルダ。
【請求項４】
前記第一係止部が前記プレートの上面中央部分に凸設されることを特徴とする請求項１乃至３の何れか１項に記載の摺動回転式位置決めソケットホルダ。
【請求項５】
前記第二係止部が凹部であることを特徴とする請求項４に記載の摺動回転式位置決めソケットホルダ。
【請求項６】
前記第二係止部が凹部であることを特徴とする請求項１乃至３の何れか１項に記載の摺動回転式位置決めソケットホルダ。
【請求項７】
ソケットを固定するものであり、長手方向に素早く摺動かつ回転可能な位置決めソケットホルダであって、
細長状の座体であり、上面に少なくとも１つの第一係止部が形成されるプレートと、該プレートの上面に長手方向に沿って全体に亘って形成される上開口と、該上開口と連通するように上面とプレートとの間に形成される摺動溝とを備えた摺動レールを有する、レール部材と、
前記レール部材にそれぞれ摺動可能且つ回転可能に設置され、その底面に凸設され、摺動レールの摺動溝に摺動可能且つ回転可能に嵌め込まれる結合凸縁と、該結合凸縁の底面且つ外周壁の内側に等間隔で環状に配列するように設けられ、前記少なくとも１つの第一係止部に係合される複数の第二係止部と、前記結合凸縁の底面の両側に径方向に亘って凹設される２つの摺動溝部とを備えた摺動台及び、前記摺動台の上面に凸設され、前記摺動レールの上開口から外部に突出するように設けられた保持部を備えた、少なくとも１つの固定部材とを有することを特徴とする摺動回転式位置決めソケットホルダ。
【請求項８】
前記プレートの底面に掛止レールが設けられ、該掛止レールの底面に、長手方向の全体に亘って下開口が形成されることを特徴とする請求項７に記載の摺動回転式位置決めソケットホルダ。
【請求項９】
前記プレートと、前記摺動レールと、前記掛止レールとが一体に成形されることを特徴とする請求項８に記載の摺動回転式位置決めソケットホルダ。
【手続補正２】
【補正対象書類名】明細書
【補正対象項目名】００１４
【補正方法】変更
【補正の内容】
【００１４】
前記少なくとも１つの固定部材３０は、摺動可能且つ回転可能にレール部材１０に設置され、各固定部材３０は、摺動台３１及び保持部３２を備え、そのうち、摺動台３１は、円形を呈する弾性を備えた座体であり、摺動可能且つ回転可能に摺動レール１２の摺動溝１２２に嵌め込まれ、且つプレート１１の複数の第一係止部１１２のうちの２つに係合され、該摺動台３１の上面は、摺動レール１２の上開口１２１に向かうように設けられ、更に、該摺動台３１の底面に結合凸縁３１１が凸設され、該結合凸縁３１１は、外周壁を備え、該結合凸縁３１１の底面且つ外周壁の内側に複数の第二係止部３１２が等間隔で環状に連続するように配列され、該各第二係止部３１２は、複数の第一係止部１１２のうちの２つに係合することができる。すなわち、前記複数の第二係止部３１２のうちの径方向の両側の２つがそれぞれ複数の第一係止部１１２のうちの対応する２つに係合される。
尚、前記第二係止部３１２は、凹部であることが好ましく、前記結合凸縁３１１の底面の両側に径方向に亘った２つの摺動溝部３１４が凹設される。